(57)【要約】【課題】未視聴コンテンツに関する情報を適切にフィルタリングする。【解決手段】表示装置（１）を制御する制御部（１３）は、視聴予定でユーザが未視聴の未視聴番組を特定する特定処理と、特定された未視聴番組に関連する、公開された情報を出力する前に、当該情報が（ｉ）未視聴番組に関連し、（ｉｉ）公開日時が未視聴番組に係るイベントの開催日時以後の場合、当該情報を出力するか否かをユーザに問合せる問合せ処理とを行う。【選択図】図１
2019198049.tif 000002
【特許請求の範囲】
【請求項１】
少なくとも１つの電子機器を制御する制御装置であって、
視聴予定のコンテンツであって、ユーザが未視聴である未視聴コンテンツを特定する特定処理と、
特定された未視聴コンテンツに関連する、公開された情報を出力する前に、（ｉ）当該情報が上記未視聴コンテンツに関連し、かつ、（ｉｉ）当該情報の公開日時が上記未視聴コンテンツに係るイベントの開催日時以後であるか否かを判定し、当該情報が上記未視聴コンテンツに関連し、かつ、当該情報の公開日時が当該開催日時以後である場合、当該情報を出力するか否かをユーザに問合せる問合せ処理と、
を行うことを特徴とする制御装置。
【請求項２】
上記コンテンツがライブ放送の番組である場合に、上記開催日時として当該番組の放送日時を取得し、
上記コンテンツが録画放送の番組である場合に、上記開催日時として上記イベントの実際の開催日時を取得する
ことを特徴とする請求項１に記載の制御装置。
【請求項３】
上記情報が放送番組である場合に、上記公開日時として当該放送番組の放送日時を取得し、
上記情報がＷｅｂページである場合に、上記公開日時として当該Ｗｅｂページの公開日時を取得する
ことを特徴とする請求項１または２に記載の制御装置。
【請求項４】
請求項１から３の何れか１項に記載の制御装置と、
上記未視聴コンテンツを記録する記録装置と、
上記未視聴コンテンツおよび上記情報を出力する情報出力装置と、
を備えることを特徴とする電子機器。
【請求項５】
少なくとも１つの電子機器を制御する制御方法であって、
視聴予定のコンテンツであって、ユーザが未視聴である未視聴コンテンツを特定するステップと、
特定された未視聴コンテンツに関連する、公開された情報を出力する前に、（ｉ）当該情報が上記未視聴コンテンツに関連し、かつ、（ｉｉ）当該情報の公開日時が上記未視聴コンテンツに係るイベントの開催日時以後であるか否かを判定し、当該情報が上記未視聴コンテンツに関連し、かつ、当該情報の公開日時が当該開催日時以後である場合、当該情報を出力するか否かをユーザに問合せるステップと、
を含んでいることを特徴とする制御方法。
【発明の詳細な説明】
【技術分野】
【０００１】
本発明は、制御装置、電子機器、および、制御方法に関する。
【背景技術】
【０００２】
録画した放送番組に関して情報取得のフィルタリングを行うことで、録画した番組の結果を事前に知ってしまわないようにすることができる技術が知られている。
【０００３】
特許文献１には、テレビ視聴が開始されると、視聴する対象の番組のＥＰＧ（登録商標、Electric Program Guide）データを取得し、そのＥＰＧデータ内のキーワードと、録画済で未視聴の番組に含まれるキーワードとに基づいて、視聴する対象の番組はフィルタリングすべきか否かを判定し、フィルタリングすべきと判定した場合には、視聴確認（メッセージ表示）を行う技術が開示されている。
【先行技術文献】
【特許文献】
【０００４】
【特許文献１】特許４５７８３７０号公報（２００７年０４月１２日公開）
【発明の概要】
【発明が解決しようとする課題】
【０００５】
ここで、結果を事前に知ってしまわないようにすべきフィルタリングの対象は、テレビ番組に限らず、インターネット上のニュースサイト等も対象となる。しかしながら、ＥＰＧデータ内のキーワードのみでフィルタリングすると、ユーザが知りたい情報であって、本来はフィルタリングすべきでない情報までフィルタリングされる可能性があるという問題がある。例えば、サッカーの試合が行われる前の特集記事等の情報は、ユーザが知りたいにもかかわらず、フィルタリングされる可能性がある。
【０００６】
本発明の一態様は、未視聴コンテンツに関する情報を適切にフィルタリングすることを目的とする。
【課題を解決するための手段】
【０００７】
上記の課題を解決するために、本発明の一態様に係る制御装置は、少なくとも１つの電子機器を制御する制御装置であって、視聴予定のコンテンツであって、ユーザが未視聴である未視聴コンテンツを特定する特定処理と、特定された未視聴コンテンツに関連する、公開された情報を出力する前に、（ｉ）当該情報が上記未視聴コンテンツに関連し、かつ、（ｉｉ）当該情報の公開日時が上記未視聴コンテンツに係るイベントの開催日時以後であるか否かを判定し、当該情報が上記未視聴コンテンツに関連し、かつ、当該情報の公開日時が当該開催日時以後である場合、当該情報を出力するか否かをユーザに問合せる問合せ処理と、を行う。
【０００８】
また、上記の課題を解決するために、本発明の一態様に係る制御方法は、少なくとも１つの電子機器を制御する制御方法であって、視聴予定のコンテンツであって、ユーザが未視聴である未視聴コンテンツを特定するステップと、特定された未視聴コンテンツに関連する、公開された情報を出力する前に、（ｉ）当該情報が上記未視聴コンテンツに関連し、かつ、（ｉｉ）当該情報の公開日時が上記未視聴コンテンツに係るイベントの開催日時以後であるか否かを判定し、当該情報が上記未視聴コンテンツに関連し、かつ、当該情報の公開日時が当該開催日時以後である場合、当該情報を出力するか否かをユーザに問合せるステップと、を含んでいる。
【発明の効果】
【０００９】
本発明の一態様によれば、未視聴コンテンツに関する情報を適切にフィルタリングすることができる。
【図面の簡単な説明】
【００１０】
【図１】本発明の実施形態１に係る表示装置の構成を示す図である。
【図２】本発明の実施形態１に係る表示装置の録画予約処理を示すフローチャートである。
【図３】本発明の実施形態１に係る表示装置の録画処理を示すフローチャートである。
【図４】本発明の実施形態１に係る表示装置の視聴処理を示すフローチャートである。
【図５】本発明の実施形態１に係る表示装置の視聴処理を示すフローチャートである。
【図６】本発明の実施形態１に係る録画予約管理ＤＢの構成例を示す図である。
【図７】本発明の実施形態１に係るフィルタリング対象の期間を示す図であり、（ａ）は録画する番組がライブ放送である場合のフィルタリング対象期間を示し、（ｂ）は録画する番組が録画放送である場合のフィルタリング対象期間を示す。
【発明を実施するための形態】
【００１１】
〔実施形態１〕
以下、本発明の一実施形態について、詳細に説明する。
【００１２】
本実施形態に係る制御部（制御装置）１３は、少なくとも表示装置（１つの電子機器）１を制御するものであって、視聴予定の番組（コンテンツ）であって、ユーザが未視聴である未視聴番組を特定する特定処理と、特定された未視聴番組に関連する、公開された情報を出力する前に、（ｉ）当該情報が上記未視聴番組に関連し、かつ、（ｉｉ）当該情報の公開日時が上記未視聴番組に係るイベントの開催日時以後であるか否かを判定し、当該情報が上記未視聴コンテンツに関連し、かつ、当該情報の公開日時が当該開催日時以後である場合、当該情報を出力するか否かをユーザに問合せる問合せ処理と、を行う。
【００１３】
制御部１３は、番組がライブ放送の番組である場合に、開催日時として当該番組の放送日時を取得し、番組が録画放送の番組である場合に、開催日時としてイベントの実際の開催日時を取得する。
【００１４】
制御部１３は、情報が放送番組である場合に、公開日時として当該放送番組の放送日時を取得し、情報がＷｅｂページである場合に、公開日時として当該Ｗｅｂページの公開日時を取得する。
【００１５】
本実施形態に係る表示装置１は、制御装置１３と、未視聴番組を記憶（記録）する記憶部（記録装置）１８と、未視聴コンテンツおよび情報を出力する映像表示部（情報出力装置）１４および音声出力部（情報出力装置）１５と、を備える。
【００１６】
（表示装置１の構成）
図１は、本実施形態に係る表示装置１の構成を示す図である。表示装置１は、例えば、録画予約機能を有するテレビジョン受像機等である。
【００１７】
図１に示すように、表示装置１は、アンテナ１１、チューナ１２、制御部１３、映像表示部１４、音声出力部１５、メモリ１６、操作部１７、記憶部１８、および、通信部１９を備えている。
【００１８】
アンテナ１１は、衛星、地上放送局等から送られてくるデジタル放送信号を受信する。チューナ１２は、映像音声データを含むデジタル信号から特定の周波数の信号を抽出する。制御部１３は、表示装置１の全体制御を行うものであり、例えば、ＣＰＵ（Central Processing Unit）等により構成される。映像表示部１４は、制御部１３（特に、映像処理部１３５）から受け取った映像データを表示するものであり、例えば、ＬＣＤ（Liquid Crystal Display：液晶ディスプレイ）、有機ＥＬ（Electro Luminescence：エレクトロルミネッセンス）ディスプレイ等により構成される。音声出力部１５は、制御部１３（特に、音声処理部１３６）から受け取った音声データを出力する。
【００１９】
メモリ１６は、番組情報（ＥＰＧデータ）、Ｗｅｂデータ、ユーザにより設定された各種設定情報、録画予約の登録内容等を格納する。操作部１７は、表示装置１を操作するものであり、例えば、リモコン機器等により構成される。記憶部１８は、録画予約に関するデータを記憶する。通信部１９は、ネットワークを介して外部の機器との間でデータを送受信する。
【００２０】
図１に示すように、記憶部１８は、少なくとも、録画予約管理ＤＢ１８１、および、録画番組データ１８２を記憶する。録画予約管理ＤＢ１８１は、ユーザにより設定された番組録画予約情報（番組名、録画開始日時、録画終了日時等）を記憶するとともに、録画予約、録画データの未視聴、視聴済等の番組データ状態を管理するＤＢである。録画番組データ１８２は、録画された番組データである。
【００２１】
図１に示すように、制御部１３は、機能ブロックとして、フィルタリング対象判定部１３１、番組情報データ解析部１３２、Ｗｅｂページ解析部１３３、録画予約管理部１３４、映像処理部１３５、および、音声処理部１３６を備えている。
【００２２】
フィルタリング対象判定部１３１は、視聴しようとしている番組、または、閲覧しようとしているＷｅｂページがフィルタリング対象であるか否かを判定する。番組情報データ解析部１３２は、録画予約管理ＤＢ１８１に記憶された番組録画予約情報、録画番組データ１８２等から番組情報データを取得し、解析する。Ｗｅｂページ解析部１３３は、Ｗｅｂページを取得し、解析する。
【００２３】
録画予約管理部１３４は、ユーザによる、録画番組の予約状況、視聴状況等を管理する。映像処理部１３５は、受信デジタル信号の映像データを受け取ってデコード処理を行い、映像表示部１４に映像データを出力する。音声処理部１３６は、受信デジタル信号の音声データを受け取ってデコード処理を行い、音声出力部１５に音声データを出力する。
【００２４】
（録画予約処理）
図２は、本実施形態に係る表示装置１の録画予約処理を示すフローチャートである。表示装置１は、ユーザによるリモコン等の操作をトリガにして、録画予約処理を開始する。
【００２５】
（ステップＳ２０１）
ユーザは、表示装置１の操作部１７を操作して、番組の録画予約を行う。操作部１７は、録画予約管理部１３４に録画予約を指示する。録画予約管理部１３４は、操作部１７からの録画予約の指示を受け付けて、記憶部１８の録画予約管理ＤＢ１８１に番組録画予約情報を記憶させる。
【００２６】
（ステップＳ２０２）
番組情報データ解析部１３２は、録画予約管理ＤＢ１８１から番組録画予約情報を取得し、参照して、ステップＳ２０１で録画予約された番組のＥＰＧデータをメモリ１６から取得する。
【００２７】
（ステップＳ２０３）
番組情報データ解析部１３２は、ステップＳ２０２で取得したＥＰＧデータから、録画予約された番組のキーワードを取得し、録画予約管理ＤＢ１８１に記憶させる。記憶部１８に記憶されたキーワードは、ユーザが視聴する情報のフィルタリングに用いられる。
【００２８】
番組情報データ解析部１３２は、ＥＰＧデータからキーワードを取得する場合、例えば、ＥＰＧデータに含まれる「番組タイトル」、「詳細内容」等のテキストデータに対して自然言語処理を行った上で、人名、地名等の固有名詞、スポーツ名、日付、時間等を抽出する処理を行う。
【００２９】
（ステップＳ２０４）
番組情報データ解析部１３２は、ステップＳ２０２で取得したＥＰＧデータを参照して、録画予約された番組がライブ放送であるか否かを判定する。番組情報データ解析部１３２は、当該番組がライブ放送であると判定した場合（ステップＳ２０４のＹｅｓ）、ステップＳ２０８の処理を実行する。番組情報データ解析部１３２は、当該番組がライブ放送でない、すなわち、当該番組が録画放送であると判定した場合（ステップＳ２０４のＮｏ）、ステップＳ２０５の処理を実行する。
【００３０】
（ステップＳ２０５）
録画予約された番組が録画放送であれば、開催日時≠放送日時となる。そこで、番組情報データ解析部１３２は、ＥＰＧデータから、当該番組に係るイベントの実際の開催日時（開始日時、終了日時）を取得する。番組情報データ解析部１３２は、例えば、録画予約された番組が録画放送のスポーツ大会である場合、当該スポーツ大会の実際の開催日時を取得する。なお、ＥＰＧデータには、録画予約時（録画開始前）のデータと、録画終了後のデータとが含まれる。
【００３１】
（ステップＳ２０６）
録画予約管理部１３４は、ステップＳ２０５で取得した開催日時を、イベントの開催日時（イベント開始日時、イベント終了日時）として録画予約管理ＤＢ１８１に記憶させる（図６参照）。
【００３２】
（ステップＳ２０７）
録画予約管理部１３４は、録画予約管理ＤＢ１８１において、録画予約された番組の番組データ状態に「録画予約」を設定する（図６参照）。
【００３３】
（ステップＳ２０８）
録画予約された番組がライブ放送であれば、開催日時＝放送日時となる。そこで、録画予約管理部１３４は、ＥＰＧデータから当該番組の放送日時を取得して、当該放送日時を、イベント開催日時（イベント開始日時、イベント終了日時）として録画予約管理ＤＢ１８１に記憶させる。録画予約管理部１３４は、例えば、録画予約された番組がライブ放送の演劇である場合、当該番組の放送日時をイベントの開催日時として録画予約管理ＤＢ１８１に記憶させる。そして、録画予約管理部１３４は、ステップＳ２０７の処理を実行する。
【００３４】
（録画処理）
図３は、本実施形態に係る表示装置１の録画処理を示すフローチャートである。表示装置１は、録画予約管理ＤＢ１８１に記憶された番組録画予約情報に従って、録画処理を実行する。
【００３５】
（ステップＳ３０１）
録画予約管理部１３４は、録画予約管理ＤＢ１８１に記憶された番組録画予約情報を参照して、録画予約された番組の録画開始時刻になったか否かを判定する。録画予約管理部１３４は、当該録画開始時刻になったと判定した場合（ステップＳ３０１のＹｅｓ）、ステップＳ３０２の処理を実行する。録画予約管理部１３４は、当該録画開始時刻になっていないと判定した場合（ステップＳ３０１のＮｏ）、ステップＳ３０１の処理を繰り返す。
【００３６】
（ステップＳ３０２）
録画予約管理部１３４は、録画予約された番組の録画処理を開始する。すなわち、録画予約管理部１３４は、チューナ１２から当該番組の映像音声データを含むデジタル信号を取得し、当該デジタル信号に含まれる映像音声データを録画番組データ１８２として記憶部１８に記憶させる。
【００３７】
（ステップＳ３０３）
録画予約管理部１３４は、録画予約管理ＤＢ１８１に記憶された番組録画予約情報を参照して、録画予約された番組の録画終了時刻になったか否かを判定する。録画予約管理部１３４は、当該録画終了時刻になったと判定した場合（ステップＳ３０３のＹｅｓ）、ステップＳ３０４の処理を実行する。録画予約管理部１３４は、当該録画終了時刻になっていないと判定した場合（ステップＳ３０３のＮｏ）、ステップＳ３０４の処理を繰り返す。
【００３８】
（ステップＳ３０４）
録画予約管理部１３４は、録画予約された番組の録画処理を終了する。
【００３９】
（ステップＳ３０５）
録画予約管理部１３４は、録画予約管理ＤＢ１８１において、録画予約された番組の番組データ状態に「未視聴」を設定する（図６参照）。
【００４０】
（ユーザ自身がＷｅｂページを閲覧する場合の視聴処理）
図４は、本実施形態に係る表示装置１の視聴処理を示すフローチャートである。表示装置１は、ユーザによるＷｅｂページ（インターネット上のニュースサイト等）の閲覧操作をトリガにして、視聴処理を開始する。
【００４１】
（ステップＳ４０１）
ユーザは、表示装置１の操作部１７を操作して、Ｗｅｂページの閲覧を行う。
【００４２】
（ステップＳ４０２）
操作部１７は、Ｗｅｂページ解析部１３３にＷｅｂページデータの取得を指示する。Ｗｅｂページ解析部１３３は、操作部１７から当該指示を受け付けて、Ｗｅｂページデータを取得する。そして、Ｗｅｂページ解析部１３３は、当該Ｗｅｂページデータからキーワードを取得する。
【００４３】
Ｗｅｂページ解析部１３３は、Ｗｅｂページデータからキーワードを取得する場合、例えば、Ｗｅｂページデータに含まれる「番組タイトル」、「詳細内容」等のテキストデータに対して自然言語処理を行った上で、人名、地名等の固有名詞、スポーツ名、日付、時間等を抽出する処理を行う。
【００４４】
（ステップＳ４０３）
フィルタリング対象判定部１３１は、ステップＳ４０２で取得したキーワードと、録画予約管理ＤＢ１８１に記憶されているキーワードとを比較する。
【００４５】
（ステップＳ４０４）
フィルタリング対象判定部１３１は、ステップＳ４０３におけるキーワード比較の結果、ユーザが閲覧しようとしているＷｅｂページに関連する録画予約番組または未視聴番組があるか否かを判定する。フィルタリング対象判定部１３１は、Ｗｅｂページに関連する当該番組があると判定した場合（ステップＳ４０４のＹｅｓ）、ステップＳ４０５の処理を実行する。フィルタリング対象判定部１３１は、Ｗｅｂページに関連する当該番組がないと判定した場合（ステップＳ４０４のＮｏ）、ステップＳ４０７の処理を実行する。
【００４６】
（ステップＳ４０５）
フィルタリング対象判定部１３１は、ユーザが閲覧しようとしているＷｅｂページの公開日時を取得する。フィルタリング対象判定部１３１は、Ｗｅｂページの公開日時を取得する場合、例えば、Ｗｅｂページに「公開日時」、「最終更新日時」等の記載があるときには、当該記載をテキストデータから抽出し、一方、Ｗｅｂページに「公開日時」、「最終更新日時」等の記載がないときには、Javascript（登録商標）等のスクリプト言語を使用して最終更新日を取得する処理を行う。
【００４７】
（ステップＳ４０６）
フィルタリング対象判定部１３１は、ステップＳ４０５で取得した公開日時と、録画予約番組または未視聴番組のイベント開催日時とを比較して、当該公開日時が当該イベント開催日時以後であるか否かを判定する。フィルタリング対象判定部１３１は、当該公開日時が当該イベント開催日時以後であると判定した場合（ステップＳ４０６のＹｅｓ）、ステップＳ４０８の処理を実行する。
【００４８】
フィルタリング対象判定部１３１は、当該公開日時が当該イベント開催日時以後でない、すなわち、当該公開日時が当該イベント開催日時よりも前であると判定した場合（ステップＳ４０６のＮｏ）、ステップＳ４０７の処理を実行する。当該公開日時が当該イベント開催日時よりも前であれば、ユーザがＷｅｂページを閲覧しても、事前に録画予約番組または未視聴番組の結果を知ることはないので、当該Ｗｅｂページはフィルタリング対象外である。
【００４９】
（ステップＳ４０７）
フィルタリング対象判定部１３１は、映像処理部１３５を介して、Ｗｅｂページを映像表示部１４に表示させる。
【００５０】
（ステップＳ４０８）
Ｗｅｂページの公開日時がイベント開催日時以後であれば、当該Ｗｅｂページはフィルタリングの対象になる。そこで、フィルタリング対象判定部１３１は、Ｗｅｂページの表示前に、録画予約番組または未視聴番組の結果に関する情報がＷｅｂページに含まれる可能性があることをユーザに通知して、ユーザがＷｅｂページを閲覧するか否かを確認する。すなわち、フィルタリング対象判定部１３１は、上記の旨を示すメッセージを、映像処理部１３５を介して映像表示部１４に表示させるか、または、音声処理部１３６を介して音声出力部１５に出力させる。
【００５１】
（ステップＳ４０９）
ユーザは、表示装置１の操作部１７を操作して、Ｗｅｂページを閲覧するか否かを選択する。操作部１７は、ユーザによる選択結果をフィルタリング対象判定部１３１に通知する。フィルタリング対象判定部１３１は、操作部１７から当該選択結果を取得して、ユーザがＷｅｂページを閲覧するか否かを判定する。フィルタリング対象判定部１３１は、ユーザがＷｅｂページを閲覧すると判定した場合（ステップＳ４０９のＹｅｓ）、ステップＳ４０７の処理を実行する。フィルタリング対象判定部１３１は、ユーザがＷｅｂページを閲覧しないと判定した場合（ステップＳ４０９のＮｏ）、本視聴処理を終了する。
【００５２】
（機器が自動で情報を収集してユーザに提示する場合の視聴処理）
図５は、本実施形態に係る表示装置１の視聴処理を示すフローチャートである。ユーザによる操作がトリガではなく、表示装置１が、自ら情報を収集してユーザに提示する視聴処理を行う。
【００５３】
（ステップＳ５０１）
表示装置１において、Ｗｅｂページ解析部１３３は、通信部１９を介して、Ｗｅｂページデータを取得する。
【００５４】
（ステップＳ５０２）
Ｗｅｂページ解析部１３３は、取得したＷｅｂページデータからキーワードを取得する。
【００５５】
（ステップＳ５０３）
フィルタリング対象判定部１３１は、ステップＳ５０２で取得したキーワードと、録画予約管理ＤＢ１８１に記憶されているキーワードとを比較する。
【００５６】
（ステップＳ５０４）
フィルタリング対象判定部１３１は、ステップＳ５０３におけるキーワード比較の結果、取得したＷｅｂページに関連する録画予約番組または未視聴番組があるか否かを判定する。フィルタリング対象判定部１３１は、Ｗｅｂページに関連する当該番組があると判定した場合（ステップＳ５０４のＹｅｓ）、ステップＳ５０５の処理を実行する。フィルタリング対象判定部１３１は、Ｗｅｂページに関連する当該番組がないと判定した場合（ステップＳ５０４のＮｏ）、ステップＳ５０７の処理を実行する。
【００５７】
（ステップＳ５０５）
フィルタリング対象判定部１３１は、取得したＷｅｂページの公開日時を取得する。
【００５８】
（ステップＳ５０６）
フィルタリング対象判定部１３１は、ステップＳ５０５で取得した公開日時と、録画予約番組または未視聴番組のイベント開催日時とを比較して、当該公開日時が当該イベント開催日時以後であるか否かを判定する。フィルタリング対象判定部１３１は、当該公開日時が当該イベント開催日時以後であると判定した場合（ステップＳ５０６のＹｅｓ）、ステップＳ５０８の処理を実行する。当該公開日時が当該イベント開催日時以後であれば、録画予約番組または未視聴番組の結果に関する情報がＷｅｂページに含まれる可能性がある。
【００５９】
フィルタリング対象判定部１３１は、当該公開日時が当該イベント開催日時以後でない、すなわち、当該公開日時が当該イベント開催日時よりも前であると判定した場合（ステップＳ５０６のＮｏ）、ステップＳ５０７の処理を実行する。当該公開日時が当該イベント開催日時よりも前であれば、ユーザがＷｅｂページを閲覧しても、事前に録画予約番組または未視聴番組の結果を知ることはないので、当該Ｗｅｂページはフィルタリング対象外である。
【００６０】
（ステップＳ５０７）
フィルタリング対象判定部１３１は、映像処理部１３５を介して、Ｗｅｂページを映像表示部１４に表示させる。
【００６１】
（ステップＳ５０８）
フィルタリング対象判定部１３１は、Ｗｅｂページを表示させることなく、本視聴処理を終了する。
【００６２】
図６は、本実施形態に係る録画予約管理ＤＢ１８１の構成例を示す図である。図６に示すように、録画予約管理ＤＢ１８１は、番号、番組名、番組情報、キーワード、録画開始日時、録画終了日時、イベント開始日時、イベント終了日時、および、番組データ状態を含む、複数のレコードから構成される。
【００６３】
番組データ状態は、番組データの状態を示すものであり、例えば、図６に示すように、「録画予約」、「未視聴」、および、「視聴済」という状態がある。「録画予約」は、ユーザにより録画が予約された状態を示す。「未視聴」は、録画されたが、ユーザが視聴していない状態を示す。「視聴済」は、ユーザの視聴が終了した状態を示す。
【００６４】
図７は、本実施形態に係るフィルタリング対象の期間を示す図である。図７（ａ）は、録画する番組がライブ放送である場合のフィルタリング対象期間を示す。図７（ｂ）は、録画する番組が録画放送である場合のフィルタリング対象期間を示す。
【００６５】
図７（ａ）に示すように、録画する番組がライブ放送である場合には、イベント開催の時間帯と、録画の時間帯とが一致するので、録画開始日時ｔ１と、視聴終了日時ｔ２との間の時間Ｔ２が、視聴／閲覧のフィルタリング対象の期間になる。
【００６６】
なお、録画開始日時ｔ１よりも前の時間Ｔ１は、視聴／閲覧のフィルタリング対象外の期間になる。また、視聴終了日時ｔ２よりも後の時間Ｔ３には、フィルタリングが解除される。
【００６７】
図７（ｂ）に示すように、録画する番組が録画放送である場合には、イベント開催の時間帯は、録画の時間帯よりも前にあるので、イベント開始日時ｔ３と、視聴終了日時ｔ４との間の時間Ｔ５が、視聴／閲覧のフィルタリング対象の期間になる。
【００６８】
なお、イベント開始日時ｔ３よりも前の時間Ｔ４は、視聴／閲覧のフィルタリング対象外の期間になる。また、視聴終了日時ｔ４よりも後の時間Ｔ６には、フィルタリングが解除される。
【００６９】
（実施形態１の効果）
本実施形態によれば、未視聴番組に関する結果等、イベント開催日時以後の情報に関しては、ユーザが事前に知りたくない情報である可能性があるので、録画番組の視聴が完了するまでは、ユーザに視聴確認（フィルタリング）を行う。なお、該「視聴確認」における「視聴」には、音声を伴わないコンテンツ（Ｗｅｂページ等）の閲覧も含まれる。
【００７０】
一方、録画番組を未視聴であっても、イベント開催日時よりも前の情報に関しては、イベント結果を知る可能性がない（イベント結果に繋がらない）情報であるので、視聴確認（フィルタリング）を行わずに出力する。
【００７１】
上記のように情報のフィルタリング処理を適切に行うことにより、ユーザの利便性向上を図ることができる。すなわち、利便性の高いネタばれ防止機能を提供することができる。
【００７２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００７３】
機器構成としては、各種の機能を併せ持った機器単体（例えば、録画機能付きテレビジョン受像機等）でもよいし、複数の機器を連携させた構成（例えば、録画機能付きテレビジョン受像機、スマートフォン等の情報端末）でもよい。
【００７４】
キーワードは、番組情報（ＥＰＧデータ）から取得するのに限るものではなく、例えば、ネットワーク上に存在するサーバから取得してもよい。
【００７５】
録画したテレビ番組を視聴する場合の情報フィルタリング機能として記載したが、これに限るものではない。例えば、動画配信サービスの「お気に入り」、「後で観る」等、ユーザがピックアップしておけるサービスを利用する場合の情報フィルタリング機能として利用してもよい。また、録音したラジオ番組を聴く場合の情報フィルタリング機能として利用してもよい。
【００７６】
「視聴完了」とは、残り時間がなくなる（０分）まで視聴することを示してもよいし、残り数％（コマーシャル等を考慮）を残した状態まで視聴することを示してもよい。また、ユーザ自身が「視聴完了」というフラグを設定可能としてもよい。
【００７７】
フィルタリングの対象は、Ｗｅｂページの閲覧だけでなく、放送番組の視聴を含んでもよい。具体的には、ユーザがある放送番組の視聴（ＴＶの放送データ、または、レコーダの録画データの視聴）をしようとした場合、表示装置１において、当該放送番組に関連する他の録画予約番組または未視聴番組が記憶部１３に記憶されているとき、フィルタリング対象判定部１３１は、以下の処理を行う。すなわち、当該放送番組の放送日時が当該録画予約番組または未視聴番組のイベント開催日時よりも前であれば、フィルタリング対象判定部１３１は、ユーザに当該放送番組を視聴させる。一方、当該放送番組の放送日時が上記イベント開催日時以降であれば、フィルタリング対象判定部１３１は、ユーザに当該放送番組を視聴する否かを確認させる。
【００７８】
〔ソフトウェアによる実現例〕
表示装置１の制御ブロック（特に、制御部１３）は、集積回路（ＩＣチップ）等に形成された論理回路（ハードウェア）によって実現してもよいし、ソフトウェアによって実現してもよい。
【００７９】
後者の場合、表示装置１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８０】
〔まとめ〕
本発明の態様１に係る制御装置は、少なくとも１つの電子機器（表示装置１）を制御する制御装置（制御部１３）であって、視聴予定のコンテンツであって、ユーザが未視聴である未視聴コンテンツを特定する特定処理と、特定された未視聴コンテンツに関連する、公開された情報を出力する前に、（ｉ）当該情報が上記未視聴コンテンツに関連し、かつ、（ｉｉ）当該情報の公開日時が上記未視聴コンテンツに係るイベントの開催日時以後であるか否かを判定し、当該情報が上記未視聴コンテンツに関連し、かつ、当該情報の公開日時が当該開催日時以後である場合、当該情報を出力するか否かをユーザに問合せる問合せ処理と、を行う。
【００８１】
上記の構成によれば、未視聴コンテンツに関する情報を適切にフィルタリングすることができる。
【００８２】
本発明の態様２に係る制御装置は、上記態様１において、上記コンテンツがライブ放送の番組である場合に、上記開催日時として当該番組の放送日時を取得し、上記コンテンツが録画放送の番組である場合に、上記開催日時として上記イベントの実際の開催日時を取得してもよい。
【００８３】
上記の構成によれば、コンテンツがライブ放送か、録画放送かに応じて、イベントの開催日時を決定するので、未視聴コンテンツに関する情報を適切にフィルタリングすることができる。
【００８４】
本発明の態様３に係る制御装置は、上記態様１または２において、上記情報が放送番組である場合に、上記公開日時として当該放送番組の放送日時を取得し、上記情報がＷｅｂページである場合に、上記公開日時として当該Ｗｅｂページの公開日時を取得してもよい。
【００８５】
上記の構成によれば、情報が放送番組か、Ｗｅｂページかに応じて、情報の公開日時を決定するので、未視聴コンテンツに関する情報を適切にフィルタリングすることができる。
【００８６】
本発明の態様４に係る電子機器は、上記態様１から３に記載の制御装置と、上記未視聴コンテンツを記録する記録装置と、上記未視聴コンテンツおよび上記情報を出力する情報出力装置と、を備える。
【００８７】
上記の構成によれば、未視聴コンテンツに関する情報を適切にフィルタリングすることができる電子機器を実現することができる。
【００８８】
本発明の態様５に係る制御方法は、少なくとも１つの電子機器（表示装置１）を制御する制御方法であって、視聴予定のコンテンツであって、ユーザが未視聴である未視聴コンテンツを特定するステップと、特定された未視聴コンテンツに関連する、公開された情報を出力する前に、（ｉ）当該情報が上記未視聴コンテンツに関連し、かつ、（ｉｉ）当該情報の公開日時が上記未視聴コンテンツに係るイベントの開催日時以後であるか否かを判定し、当該情報が上記未視聴コンテンツに関連し、かつ、当該情報の公開日時が当該開催日時以後である場合、当該情報を出力するか否かをユーザに問合せるステップと、を含んでいる。
【００８９】
上記の構成によれば、未視聴コンテンツに関する情報を適切にフィルタリングすることができる制御方法を実現することができる。
【００９０】
本発明の各態様に係る制御装置は、コンピュータによって実現してもよく、この場合には、コンピュータを上記制御装置が備える各部（ソフトウェア要素）として動作させることにより上記制御装置をコンピュータにて実現させる制御装置のプログラム、およびそれを記録したコンピュータ読み取り可能な記録媒体も、本発明の範疇に入る。
【００９１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９２】
１  表示装置（電子機器）
１３  制御部（制御装置）
１４  映像表示部（情報出力装置）
１５  音声出力部（情報出力装置）
１８  記憶部（記録装置）
【図１】
2019198049.tif 000003
【図２】
2019198049.tif 000004
【図３】
2019198049.tif 000005
【図４】
2019198049.tif 000006
【図５】
2019198049.tif 000007
【図６】
2019198049.tif 000008
【図７】
2019198049.tif 000009